(57)【要約】【課題】  マットの表面に複数のエアーバッグを並設配置し、これらのエアーバッグに空気を給排気してエアーバッグを膨張・収縮させることで、人体のマッサージを行うものにおいて、比較的安価な構成にてエアーバッグを確実に固定する事を目的とするものである。【解決手段】  マット本体の表面に複数のエアーバッグを並設配置し、これらのエアーバッグにホースを接続し、エアーバッグ内に空気を給排気して膨張収縮を行うものにおいて、エアーバッグの左右両端部に固定片を形成し、これら固定片に固定具を固定し、かつこれら固定片に対向位置してマット本体の表面に固定具が係入する取付孔を穿孔した固定テープを固定して成る。【選択図】        図１
2006043063.tif 000002
【特許請求の範囲】
【請求項１】
マット本体の表面に複数のエアーバッグを並設配置し、これらのエアーバッグにホースを接続し、エアーバッグ内に空気を給排気して膨張収縮を行うものにおいて、上記エアーバッグの左右両端部に固定片を形成すると共に、これら固定片に固定具を固定し、かつこれら固定片に対向位置して上記マット本体の表面に、固定具が係入する取付孔を穿孔した固定テープを固定した事を特徴とするエアーマッサージ装置。
【請求項２】
上記取付孔を少なくともマット本体の長手方向に複数穿孔し、上記固定具により固定する取付孔の位置を変えることで、上記エアーバッグの位置を調節する様に構成した事を特徴とする、上記請求項１に記載のエアーマッサージ装置。
【請求項３】
上記固定具を着脱自在な雄部材と雌部材とから成るホックで構成した事を特徴とする、上記請求項１〜２に記載のエアーマッサージ装置。
【請求項４】
上記固定具の一方を固定片に固定すると共に、固定具の他方を上記固定テープを挟んで取付孔内で嵌合させることで、エアーバッグを固定テープに固定する様に構成したことを特徴とする、上記請求項３に記載のエアーマッサージ装置。
【請求項５】
上記各固定片を上下２枚で構成すると共に、一方の固定片に上記雄部材を固定し、他方の固定片に雌部材を固定し、これら固定片間に上記固定テープを挟んで上記取付孔内で雄部材と雌部材を嵌合する様に構成した事を特徴とする、上記請求項３に記載のエアーマッサージ装置。
【発明の詳細な説明】
【技術分野】
【０００１】
本発明は、マット本体の表面に複数のエアーバッグを並設配置し、これらのエアーバッグに空気を給排気することでエアーバッグを膨張収縮させ、マット本体の上に寝ている人体のマッサージを行うエアーマッサージ装置に関する。
【背景技術】
【０００２】
クッション材にて構成したマット本体の表面に複数のエアーバッグを並設配置し、これらのエアーバッグに空気を給排気することでエアーバッグを膨張収縮し、マット本体の上に寝ている人体のマッサージを行うものでは、例えば特許文献１に示される様に、下部マット５３の表面に複数のテープ２１ａ，２１ｂ，２１ｃを固定すると共に、エアーバッグ５１の表面にもテープ２５ａ，２５ｂ，２５ｃを固定し、これらテープ同士を接合させることで、エアーバッグを任意の位置に取り付け可能に構成している。
【特許文献１】特開平９−２２４９９２号公報
【発明の開示】
【発明が解決しようとする課題】
【０００３】
一方、上記特許文献１に記載の構成では、比較的幅広で多くのテープを必要とすると共に、エアーバッグが斜めに取り付けられる可能性があり、その場合仕様通りのマッサージ効果が得られないという問題がある。
【０００４】
そこで本発明は、比較的簡単で安価な構成によりエアーバッグをマット本体に確実に固定し得る様にする事を目的とする。
【課題を解決するための手段】
【０００５】
本発明の請求項１の構成は、マット本体の表面に複数のエアーバッグを並設配置し、これらのエアーバッグにホースを接続し、エアーバッグ内に空気を給排気して膨張収縮を行うものにおいて、エアーバッグの左右両端部に固定片を形成すると共に、これら固定片に固定具を固定し、かつこれら固定片に対向位置してマット本体の表面に、固定具が係入する取付孔を穿孔した固定テープを固定して成るものである。
【０００６】
本発明の請求項２の構成は、請求項１の構成において、取付孔を少なくともマット本体の長手方向に複数穿孔し、固定具により固定する取付孔の位置を変えることで、エアーバッグの位置を調節する様に構成して成るものである。
【０００７】
本発明の請求項３の構成は、請求項１〜２の構成において、固定具を着脱自在な雄部材と雌部材とから成るホックで構成して成るものである。
【０００８】
本発明の請求項４の構成は、請求項３の構成において、固定具の一方を固定片に固定すると共に、固定具の他方を固定テープを挟んで取付孔内で嵌合させることで、エアーバッグを固定テープに固定する様に構成して成るものである。
【０００９】
本発明の請求項５の構成は、請求項３の構成において、各固定片を上下２枚で構成すると共に、一方の固定片に雄部材を固定し、他方の固定片に雌部材を固定し、これら固定片間に固定テープを挟んで取付孔内で雄部材と雌部材を嵌合する様に構成して成るものである。
【発明の効果】
【００１０】
本発明の請求項１に記載の構成により、固定テープに穿孔した取付孔に、固定具を介してエアーバッグを固定する様に構成したことで、取付孔によりエアーバッグの固定位置を確実に設定することで、エアーバッグが斜めに固定されることもなく、仕様通りのマッサージ効果を得る事が出来るものである。
【００１１】
本発明の請求項２に記載の構成により、固定テープに穿孔した取付孔をマット本体の長手方向に複数穿孔したことで、固定具により固定する取付孔の位置を調節することで、人体の身長やマッサージが必要な部分に応じてエアーバッグの位置を調節することが可能となり、より効果的なマッサージを行う事が出来るものである。
【００１２】
本発明の請求項３に記載の構成により、固定具を着脱自在な雄部材と雌部材とから成るホックで構成したことで、固定具を比較的安価に構成できると共に、エアーバッグの位置調節を比較的簡単に行う事が出来るものである。
【００１３】
本発明の請求項４に記載の構成により、固定具の一方を固定片に固定し、他方の固定具を固定テープを挟んで取付孔内で嵌合することで、エアーバッグを比較的簡単な構成にてマット本体に固定する事が出来るものである。
【００１４】
本発明の請求項５に記載の構成により、固定片を上下２枚で構成し、一方の固定片にホックの雄部材、他方の固定片に雌部材を固定し、これらの部材を固定テープの取付孔内で嵌合する様に構成したことで、ホックを固定片に確実に固定する事ができ、これにより何らかの原因により固定片に張力が生じても、ホックの脱落によるエアーバッグの移動を防止する事が出来るものである。
【発明を実施するための最良の形態】
【００１５】
本発明による実施例を先ず図１に基づき説明すると、１はウレタン等のクッション材から構成したマット本体で、その略中心部の長手方向に収納溝２を一体形成していると共に、上面に表面マット３を積層し、かつこの表面マットの上面に補強布４を被覆固定している。
【００１６】
又、上記マット本体１の人体が上に寝た場合に足側となる後端部左右両端部には、ベース板５を介して例えばウレタン製のコーナー部材６，６を連結配置していると共に、これらコーナー部材の間に樹脂ケースから成る制御ボックス７を配置固定している。
【００１７】
更に、上記マット本体１の中央部には、図２及び図３にても示す様に、ナイロン製表皮材の内側にゴムシートを重ね合わせたシート材８・・を上下一対重ね合わせてその周辺部を熱溶着して内部に空気室９・・を形成した複数のエアーバッグ１０・・，１１を長手方向に並設配置している。
【００１８】
尚、上記図２は図１中のＡ−Ａ断面、図３は同じくＢ−Ｂ断面で、上記エアーバッグ１０・・は、マット本体１の長手方向に上記一対の空気室９・・を一体に並列形成していると共に、これら空気室間の区画部分の周辺左右両端部に上下一対の固定片１２・・，１３・・を一体に突出形成し、一方上記補強布４の固定片１２・・，１３・・対向位置に、左右一対の固定テープ１４，１４を糸１５，１５による縫い合わせ等によって固定し、かつ上記固定片１２・・，１３・・を周知のホック１６・・等の固定具によって固定テープ１４，１４に着脱自在に固定している。
【００１９】
又、上記実施例では、固定テープ１４，１４の外側を糸１５，１５によって補強布４に固定し、これによりエアーバッグ１０・・，１１が膨張しても固定テープ１４，１４が剥れ難くしているが、これに限定されることなく、着脱自在な面状テープやホックによって固定テープ１４，１４を固定する様に構成しても良い。
【００２０】
更に上記ホック１６・・は、図４にて示す様に、一方の固定片１２・・にホックの雌部材１７・・を固定し、他方の固定片１３・・に雄部材１８・・を固定し、上記固定テープ１４，１４のエアーバッグ１０・・，１１取付け位置に複数の取付孔１９・，２０，２０を穿孔し、これら取付孔内で雄部材１８・・と雌部材１７・・を嵌合することで、エアーバッグ１０・・，１１を予め設定した所定位置に着脱可能に固定している。
【００２１】
これらの構成により、比較的簡単な構成にて、エアーバッグ１０・・，１１をマット本体１の予め設定した位置に確実に着脱自在に固定することができ、仕様通りのマッサージ効果を得る事が出来ると共に、雌部材１７・・と雄部材１８・・を各々固定片１２・・，１３・・に確実に固定することで、ホック１６・・の脱落を防止する事が出来るものである。
【００２２】
一方上記取付孔２０，２０は、エアーバッグ１１とこれに隣接したエアーバッグ１０ａの固定位置を変更する為に設けたもので、これにより、人体の身長やマッサージを行いたい部分等に応じてマット本体１の長手方向に位置を調節することが可能で、その場合、上記ホック１６・・で固定する取付孔１９・・，２０，２０の位置を変えることで、比較的簡単に行う事ができ、より快適で効果的なマッサージ効果を得る事が出来るものである。
【００２３】
尚、上記実施例では固定具としてホック１６・・を用いているが、これに限定されることなく、樹脂製のボルト−ナットの組合せ等の比較的簡単に着脱が行える固定具を用いても良い。
【００２４】
又、上記エアーバッグ１１は１個の空気室９を形成し、そのマット本体１の長手方向の一端部左右両側部に上下一対の固定片２１，２２を一体に突出形成し、これらの固定片に固定したホック１６・・を取付孔１９・・内で嵌合することで、上記固定テープ１４，１４に着脱自在に固定している。尚、上記固定片２１，２２は、固定片１２・・，１３・・と同様に上下一対の固定片を備えている。
【００２５】
更に、上記エアーバッグ１０・・，１１は、上記固定片１２・・，１３・・，２１，２２に近接位置した略中心部の底面に樹脂製の接続具２３・・を各々固着し、これら接続具にホース２４・・の先端を各々接続し、これらのホースにて空気室９・・内に空気を給排気してエアーバッグ１０・・，１１を膨張収縮させる。
【００２６】
これらの構成により、上記エアーバッグ１０・・，１１の膨張時には、図２にても示す様に、接続具２３・・を固定したマット本体１の長手方向の一端部中央より膨張を開始し、かつ最大膨張時には他端部が大きく上昇することで、収縮時と最大膨張時の落差が大きくなり、人体を効果的に押圧してマッサージ効果を向上させる事が出来ると共に、エアーバッグ１０・・，１１の膨張並びに収縮時には、接続具２３・・を固定した各空気室９・・の一端部中央より左右方向に均等に膨張・収縮を繰り返すことで、人体が傾斜して違和感を与えることもなく、より快適なマッサージを行う事が出来るものである。
【００２７】
上記図１〜４にて示す実施例では、固定片１２・・，１３・・を上下一対設けているが、図５にて示す様に固定片３０を１枚とし、この固定片に例えばホック１６・・の雌部材１７・・を固定し、雄部材１８・・を固定テープ１４，１４の裏側より取付孔１９・・，２０，２０内で嵌合する様に構成しても良く、この場合には固定具の構造をより簡素な構成にする事が出来るが、エアーバッグ１０・・，１１の膨張時等固定片２４に張力が加わった場合、雄部材１８・・が取付孔１９・・，２０，２０内に引き込まれて外れ易いという問題がある。
【００２８】
そこで、この場合には例えば雄部材１８・・と取付孔１９・・，２０，２０との間に座板３１を介在すれば良いが、ホック１６・・の着脱時に座板３１を紛失し易いという問題がある。
【００２９】
尚、上記ホース２４・・への空気の給排気は、上記制御ボックス７内に収納した図示しない周知のエアーコンプレッサにより行い、このエアーコンプレッサより供給する空気を図示しない切換えバルブを介して各ホース２４・・に適宜切換えて給排気することで、エアーバッグ１０・・，１１を順次繰り返して膨張・収縮させるもので、これらエアーコンプレッサや切換えバルブの制御は、同じく制御ボックス７内に収納配置した制御回路により行う。
【図面の簡単な説明】
【００３０】
【図１】本発明の実施例を示す斜視図である。
【図２】図１中のＡ−Ａ断面図である。
【図３】同じく図１中のＢ−Ｂ断面図である。
【図４】本発明による要部の実施例を示す斜視図である。
【図５】同じく要部の他の実施例を示す斜視図である。
【符号の説明】
【００３１】
１    マット本体
１０    エアーバッグ
１１  エアーバッグ
１２  固定片
１３  固定片
１４  固定テープ
１６  ホック（固定具）
１７  雌部材
１８  雄部材
２１  固定片
２２  固定片
２４  ホース
【図１】
2006043063.tif 000003
【図２】
2006043063.tif 000004
【図３】
2006043063.tif 000005
【図４】
2006043063.tif 000006
【図５】
2006043063.tif 000007